(57)【要約】【課題】  軟質パッキンを介して固定する締め付け固定具において、締め付けによりパッキンが外周方向に延展して永久変形が生ずることのない構造を備える締め付け固定具を提供することである。【解決手段】  木ネジ、セルフタップネジ、あるいはボルトとナットなどの締め付け固定具の、パッキンへ当接する部位の外周に凸部を設け、内部に凹部を設ける。【選択図】        図１
2005030577.tif 000002
【特許請求の範囲】
【請求項１】
軟質パッキンを介して固定する締め付け固定具において、パッキンへ当接する部位に凹凸部を備えたことを特徴とする締め付け固定具。
【請求項２】
軟質パッキンを介して固定する締め付け固定具において、パッキンへ当接する部位の外周に凸部を設け、内部に凹部を備えたことを特徴とする木ネジあるいはセルフタップネジ。
【請求項３】
軟質パッキンを介して固定する締め付け固定具において、パッキンへ当接する部位の外周に凸部を設け、内部に凹部を備えたことを特徴とするボルトおよび、あるいはナット。
【発明の詳細な説明】
【発明の詳細な説明】
【技術分野】
【０００１】  本発明は、軟質パッキンを介して固定するネジ、ボルトなどの締め付け固定具に係り、特に浸水防止効果を高める構造に関するものである。
【背景技術】
【０００２】  従来、屋外機のカバーの固定や家の外壁の取り付けには、図２、および図５に示すボルトや木ネジなどが用いられ、取り付け固定部がらの浸水を防ぐ防水は、図８に示すように、ゴムあるいはシリコン樹脂などの軟質性材質よりなる断面矩形のリング状の平パッキン１１を介在させて締め付け固定させることで浸水を防止していた。【０００３】  しかしながら、図８に示すようにパッキン１１は、ボルトあるいはネジを締め付け過ぎると外周方向に延展し、弾性限界をこえるため永久変形が生じ易く、昼夜の温度差、夏冬の温度差により、熱膨張係数の異なるボルトあるいはネジ、取り付け板、および基板が伸縮を繰り返すため、間隙が徐々に成長しパッキンの弾力性に依存する機密性が劣化し浸水防止効果が低下していた。
さらに、冬季には前記間隙に付着した水分が夜間に凍結して膨張し、昼間に溶解することを繰り返すので、前記パッキングの永久変形が促進され間隙が拡大し機密性が劣化するので、浸水防止効果が低下していた。
【発明が解決しようとする課題】
【０００４】  従来のように、パッキンが、ボルトあるいはネジの締め付けにより外周方向に延展し、弾性限界をこえて永久変形が生ずることのない構造を備える締め付け固定具を提供することである。
【課題を解決するための手段】
【０００５】  本発明は、軟質パッキンを介して固定する締め付け固定具において、パッキンへ当接する部位に凹凸部を備えたことを特徴とする締め付け固定具である。
図１，図３，図４および図６に示す締め付け固定具のように、パッキンへ当接する部位の外周に凸部を設け、内部に凹部を備えると、図７、および図９に示すように、締め付けによりパッキンに加えられた圧縮力で外周方向へ延展して弾性限界を超えて永久変形することなく防水効果を維持することができる。
使用するパッキンの硬度と厚みに依存するが、締付けによる凸部に当接するパッキンの変形部の体積より、凹部の体積か多少小さめであることが望ましい。
またパッキンへ当接する部位に、ワッフル状に複数の凹凸を形成してもよい。
【０００６】  また本発明は、軟質パッキンを介して固定する締め付け固定具において、パッキンへ当接する部位の外周に凸部を設け、内部に凹部を備えたことを特徴とする木ネジあるいはセルフタップネジである。
図４に示すネジ断面図のように、パッキンへ当接する部位の外周を同心円状に突出させ、その内部に同心円状に少なくとも一つ以上の凹部６を備えた木ネジ、あるいはセルフタップネジであり、使用した状態は図９の断面図に示すように、パッキン１１は外周方向へ延展せず、強く締め付け過ぎた圧力は内部の凹部で厚み方向に吸収されるので、弾力性を保持でき防水効果を維持することができる。
【０００７】  また本発明は、軟質パッキンを介して固定する締め付け固定具において、パッキンへ当接する部位の外周に凸部を設け、内部に凹部を備えたことを特徴とするボルトおよび、あるいはナットである。
図１、あるいは図３に示すように、軟質パッキンを介して固定するボルトおよび、あるいはナットの、パッキンへ当接する部位の外周に凸部を設け、内部に凹部６を備えることで、図７に示す取り付け断面図のように、パッキン１１が外周方向に延展することがないので、前記同様に弾力性を保持でき防水効果を維持することができる。
なお、ナットの場合は、外周に凸部を設け、内部に凹部を片面のみに備えても、あるいは両面に備えてもよい。
【発明を実施するための最良の形態】
【０００８】  軟質パッキンを介して固定するネジ、ボルト、あるいはナットなどの締め付け固定具において、パッキンへ当接する部位の外周に凸部を備え、内部に凹部を備えさせる。
締め付けによりパッキンに加えられた圧縮力で外周方向へ延展することのないように、前記固定具のパッキンへ当接する部位の外周に凸部を備え、該凸部に加圧されたパッキンの変形分を内部の凹部に吸収させて、パッキンの少なくとも厚み方向の弾力性を保持させるために、凹部の容積は締付け後にパッキンと間隙が出来ないように，小さくしておく必要がある。【０００９】  締付け固定具のパッキンへ当接する部位の外周部への凸部の形成方法は、固定具製造時に前記凹部に適合する刃先で切削すればよく、また、前記固定具のパッキンへ当接する部位（面）に、所定の型で加圧転造してもよい。
また、所定の型で鋳造することもできる。
さらに、既成の固定具としてのネジなどへの凹部の形成は、ネジ頭部の最大径部の外周に、銅やアルミなどの軟金属パイプを切断したリングを、鉢巻状に嵌合させてから外周を加圧接着させることもできる。
このときリングの厚みは、ネジ頭部の最大径部の外周に形成された凸部の高さで、前記凹部の深さが決定される。
【発明の効果】
【００１０】  本発明による、パッキンへ当接する部位の外周に凸部を、内部に凹部を備えた締め付け取り付け具を用いることにより、締め付け圧力でパッキンが外周方向に延展することなく、強く締め付け過ぎた圧力は内部の凹部で厚み方向に吸収されるので、パッキンが永久変形することなく弾力性を保持でき、取り付け後の防水効果が長期間に亘って劣化することなく、防水性を維持することができる。
【図面の簡単な説明】
【図１】  本発明のビスおよびナットの断面図例を示す。
【図２】  従来のビスおよびナットの断面図例を示す。
【図３】  本発明の６角ボルトおよびナットの断面図例を示す。
【図４】  本発明の木ネジの断面図例を示す。
【図５】  従来の木ネジの断面図例を示す。
【図６】  本発明によるボルトの、他の断面図例を示す。
【図７】  本発明のビスおよびナットを用いた、取り付け断面図例を示す。
【符号の説明】
１    本発明によるビス
２    本発明によるナット
３    従来のビス
４    従来のナット
５    従来の木ネジ
６    凹部
７    本発明による木ネジ
８    本発明によるナット
９    従来の木ネジ
１０  本発明によるボルト
１１  パッキン
【図１】
2005030577.tif 000003
【図２】
2005030577.tif 000004
【図３】
2005030577.tif 000005
【図４】
2005030577.tif 000006
【図５】
2005030577.tif 000007
【図６】
2005030577.tif 000008
【図７】
2005030577.tif 000009
【図８】
2005030577.tif 000010
【図９】
2005030577.tif 000011
【手続補正書】
【提出日】平成15年10月7日(2003.10.7)
【手続補正２】
【補正対象書類名】明細書
【補正対象項目名】００１０
【補正方法】変更
【補正の内容】
【００１０】  本発明による、パッキンへ当接する部位の外周に凸部を、内部に凹部を備えた締め付け取り付け具を用いることにより、締め付け圧力でパッキンが外周方向に延展することなく、強く締め付け過ぎた圧力は内部の凹部で厚み方向に吸収されるので、パッキンが永久変形することなく弾力性を保持でき、取り付け後の防水効果が長期間に亘って劣化することなく、防水性を維持することができる。【図面の簡単な説明】【図１】本発明のビスおよびナットの断面図例をしめす。【図２】従来のビスおよびナットの断面図例をしめす。【図３】本発明の６核ボルトおよびナットの断面図例をしめす。【図４】本発明の木ネジの断面図例をしめす。【図５】従来の木ネジの断面図例をしめす。【図６】本発明によるボルトの、他の断面図例をしめす。【図７】本発明のビスおよびナットを用いた、取り付け断面図例をしめす。【図８】従来のビスおよびナットを用いた、取り付け断面図例をしめす。【図９】本発明の木ネジを用いた、取り付け断面図例をしめす。【符号の説明】１      本発明によるビス２      本発明によるナット３      従来のビス４      従来のナット５      従来の木ネジ６      凹部７      本発明による木ネジ８      本発明によるナット９      従来の木ネジ１０    本発明によるボルト１１    パッキン【手続補正書】
【提出日】平成15年10月7日(2003.10.7)
【手続補正１】
【補正対象書類名】明細書
【補正対象項目名】０００８
【補正方法】変更
【補正の内容】
【０００８】  軟質パッキンを介して固定するネジ、ボルト、あるいはナットなどの締め付け固定具において、パッキンへ当接する部位の外周に凸部を備え、内部に凹部を備えさせる。  締め付けによりパッキンに加えられた圧縮力で外周方向へ延展することのないように、前記固定具のパッキンへ当接する部位の外周に凸部を備え、該凸部に加圧されたパッキンの変形分を内部の凹部に吸収させて、パッキンの少なくとも厚み方向の弾力性を保持させるために、凹部の容積は締付け後にパッキンと間隙が出来ないように，小さくしておく必要がある。
【手続補正２】
【補正対象書類名】明細書
【補正対象項目名】０００９
【補正方法】変更
【補正の内容】
【０００９】  締付け固定具のパッキンへ当接する部位の外周部への凸部の形成方法は、固定具製造時に前記凹部に適合する刃先で切削すればよく、また、前記固定具のパッキンへ当接する部位（面）を、所定の型で加圧成型してもよい。  また、所定の型で鋳造することもできる。  さらに、既成の固定具としてのネジなどへの凹部の形成は、ネジ頭部の最大径部の外周に、銅やアルミなどの軟金属パイプを切断したリングを、鉢巻状に嵌合させてから外周を加圧接合させることもできる。  このときリングの厚みは、ネジ頭部の最大径部の外周に形成された凸部の高さで、前記凹部の深さが決定される。  あるいは、平座金を底の無い食器の椀状態にプレスして湾曲させた物（図示せず）の湾曲部にパッキンを勘合させ、他方をネジ頭部に当接させて締め付けても良い。
【手続補正３】
【補正対象書類名】明細書
【補正対象項目名】００１０
【補正方法】変更
【補正の内容】
【００１０】  本発明による、パッキンへ当接する部位の外周に凸部を、内部に凹部を備えた締め付け取り付け具を用いることにより、締め付け圧力でパッキンが外周方向に延展することなく、強く締め付け過ぎた圧力は内部の凹部で厚み方向に吸収されるので、パッキンが永久変形することなく弾力性を保持でき、取り付け後の防水効果が長期間に亘って劣化することなく、防水性を維持することができる。  さらに、パッキンが締め付け取り付け具の凹部に当接して、空気に触れる表面積が少なくなるので、パッキンの表面酸化が少なくなり劣化し難くなるので、取り付け後の防水効果が劣化せずに、長期間に亘って防水性を維持することができる。【図面の簡単な説明】【図１】本発明のビスおよびナットの断面図例をしめす。【図２】従来のビスおよびナットの断面図例をしめす。【図３】本発明の６核ボルトおよびナットの断面図例をしめす。【図４】本発明の木ネジの断面図例をしめす。【図５】従来の木ネジの断面図例をしめす。【図６】本発明によるボルトの、他の断面図例をしめす。【図７】本発明のビスおよびナットを用いた、取り付け断面図例をしめす。【図８】従来のビスおよびナットを用いた、取り付け断面図例をしめす。【図９】本発明の木ネジを用いた、取り付け断面図例をしめす。【符号の説明】１      本発明によるビス２      本発明によるナット３      従来のビス４      従来のナット５      従来の木ネジ６      凹部７      本発明による木ネジ